【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
監視対象である受配電設備の情報を取得し、取得した前記情報を集約するリモートステーションと、前記リモートステーションで集約された前記情報を取得するゲートウェイ装置と、前記ゲートウェイ装置で取得された前記情報のうち一部の情報をネットワークを介して取得し、蓄積するデータセンタと、を備えたことを特徴とする受配電設備の監視システム。
【請求項２】
前記情報は前記受配電設備に搭載されたセンサから取得されたセンサデータからなり、前記ゲートウェイ装置は、前記リモートステーションから前記センサデータからなる情報の収集を定期的に実施し、前記情報の最新データと前回データを比較し、差分データのみを前記データセンタへ前記ネットワークを介して送信することを特徴とする請求項１に記載の受配電設備の監視システム。
【請求項３】
前記情報は前記受配電設備に搭載されたセンサから取得されたセンサデータからなり、前記ゲートウェイ装置は、前記リモートステーションから前記センサデータからなる情報の収集を定期的に実施するとともに、前記センサデータの収集が初めてかどうか判断し、前記センサデータの収集が初回の場合は全ての前記センサデータを収集し、取得した前記センサデータを前記データセンタへ送信するとともに前記センサデータを前回データとして保持し、前記センサデータの収集が初回でない場合は前記前回データとの差分を抽出し、抽出された差分データを前記データセンタへ送信するとともに前記前回データを更新することを特徴とする請求項１または２に記載の受配電設備の監視システム。
【請求項４】
前記情報は前記受配電設備に設けられた電子機器の内部ログデータを含む情報からなり、前記リモートステーションは前記内部ログデータを取得し、取得した前記内部ログデータを集約し、前記ゲートウェイ装置は、前記内部ログデータを前記リモートステーションから取得して機器ログデータとしてファイル化し、ファイル化した前記機器ログデータを前記データセンタへ前記ネットワークを介して送信することを特徴とする請求項１に記載の受配電設備の監視システム。
【請求項５】
前記リモートステーションは、取得した前記内部ログデータを保持し、前記ゲートウェイ装置は、前記内部ログデータをファイル化したデータである前記機器ログデータを保持し、前記データセンタは、前記ゲートウェイ装置から受信した前記機器ログデータを蓄積した蓄積ログデータを保持していることを特徴とする請求項４に記載の受配電設備の監視システム。
【請求項６】
前記ゲートウェイ装置は、前記データセンタから前記内部ログデータの取得要求があるかどうかを周期的に監視しており、要求がある場合、前記ゲートウェイ装置は前記機器ログデータを前記データセンタへ送信するように構成したことを特徴とする請求項４または請求項５に記載の受配電設備の監視システム。
【手続補正２】
【補正対象書類名】明細書
【補正対象項目名】０００６
【補正方法】変更
【補正の内容】
【０００６】
この出願に開示される受配電設備の監視システムは、監視対象である受配電設備の情報を取得し、取得した前記情報を集約するリモートステーションと、前記リモートステーションで集約された前記情報を取得するゲートウェイ装置と、前記ゲートウェイ装置で取得された前記情報のうち一部の情報をネットワークを介して取得し、蓄積するデータセンタと、を備えたものである。
【手続補正３】
【補正対象書類名】明細書
【補正対象項目名】０００８
【補正方法】変更
【補正の内容】
【０００８】
【図１】実施の形態１における全体構成を示す概略図。
【図２】実施の形態１におけるデータの流れを示す概略図。
【図３】実施の形態１におけるセンサデータの構成を示す図。
【図４】実施の形態１における前回データの構成を示す図。
【図５】実施の形態１における最新データの構成を示す図。
【図６】実施の形態１における差分データの構成を示す図。
【図７】実施の形態１における蓄積データの構成を示す図。
【図８】実施の形態１における動作を示すフロー図。
【図９】実施の形態２における全体構成を示す概略図。
【図１０】実施の形態２におけるデータの流れを示す概略図。
【図１１】実施の形態２における内部ログデータの構成を示す図。
【図１２】実施の形態２における機器ログデータの構成を示す図。
【図１３】実施の形態２における下位通信管理データの構成を示す図。
【図１４】実施の形態２における蓄積ログデータの構成を示す図。
【図１５】実施の形態２における動作を示すフロー図。
【手続補正４】
【補正対象書類名】明細書
【補正対象項目名】００１４
【補正方法】変更
【補正の内容】
【００１４】
図４に前回データ１３を示す。前回データ１３は、信号種別１６、センサＩＤ１７、前回センサ値１８ａ、前回計測タイミング２０にて構成される。
【手続補正５】
【補正対象書類名】明細書
【補正対象項目名】００１８
【補正方法】変更
【補正の内容】
【００１８】
続いて、図８にて実施の形態１に示したシステムの処理フローを説明する。
ゲートウェイ装置３は、ステップＳ００１にてセンサデータ１１の収集を定期的に実施する。ステップＳ００２にてセンサデータ１１の収集が初めてかどうかで処理が分岐する。初回の場合は、ステップＳ００３にて全てのセンサデータ１１を収集し、ステップＳ００４にて取得データをデータセンタ４へ送信し、ステップＳ００５にて取得データを前回データ１３として保持する。
初回でない場合は、ステップＳ００６にて前回データ１３との差分を抽出し、ステップＳ００７にて抽出された差分データである取得データをデータセンタ４へ送信し、ステップＳ００８にて前回データ１３を更新する。
【手続補正６】
【補正対象書類名】明細書
【補正対象項目名】００２５
【補正方法】変更
【補正の内容】
【００２５】
図１０は、実施の形態２の監視システムにおけるデータの流れを示す。
リモートステーション２上には、受配電設備１に取り付けた電子機器の内部ログデータ２３、ゲートウェイ装置３上には、電子機器の内部ログデータをファイル化したデータである機器ログデータ２４、下位の通信処理を管理する下位通信管理データ２５、データセンタ４上には、機器ログデータ２４を蓄積した蓄積ログデータ２６が存在する。
電子機器の内部ログデータ２３としての情報は、受配電設備１に設けられた複数の電子機器の内部ログデータを含む情報からなるものであって、リモートステーション２によって取得され集約され、集約された内部ログデータ２３はゲートウェイ装置３でファイル化されて数百メガバイト（ＭＢ）に及ぶ大容量ファイルとされ機器ログデータ２４としてゲートウェイ装置３の記憶手段に格納され保持される。
【手続補正７】
【補正対象書類名】明細書
【補正対象項目名】００３３
【補正方法】変更
【補正の内容】
【００３３】
実施の形態２における受配電設備の監視システムは、前述した実施の形態１における構成において、図９から図１５までに示す通り、次の構成が適用されている。
監視対象である受配電設備１の情報を集約するリモートステーション２と、前記リモートステーション２の情報を上位システムに送信するゲートウェイ装置３と、前記ゲートウェイ装置３から受信した情報を蓄積する上位システムとしてのデータセンタ４とを備えた受配電設備の監視システムにおいて、前記受配電設備１に設けられた複数の電子機器に係る内部ログデータ２３からなる情報はリモートステーション２の受配電設備間インタフェース５を介して下位データ管理部６で集約され、前記ゲートウェイ装置３はリモートステーションインタフェース７を介して前記内部ログデータ２３からなる情報を取得し、前記内部ログデータ２３からなる情報は前記ゲートウェイ装置３で数百メガバイト（ＭＢ）に及ぶ大容量ファイルである機器ログデータ２４としてファイル化されるとともに、前記ゲートウェイ装置３は必要な受配電設備のファイル化された機器ログデータ２４からなる前記情報を下位通信処理部８にてインターネット９からなる無線ネットワークを介して前記データセンタ４へ送信し、前記データセンタ４は、上位通信処理部１９にて前記ゲートウェイ装置３から送信されるファイル化された機器ログデータ２４からなる前記情報を受信し、前記上位データ管理部１０にてファイル化された機器ログデータ２４からなる前記情報に係るデータを蓄積ログデータ２６として管理することを特徴とする。
【手続補正８】
【補正対象書類名】明細書
【補正対象項目名】００３５
【補正方法】変更
【補正の内容】
【００３５】
また、前記ゲートウェイ装置３は、前記データセンタ４側から電子機器内部ログデータ２３の取得要求があるかどうかを周期的に監視しており、要求がある場合、前記ゲートウェイ装置３は電子機器内部ログデータ２３を前記リモートステーション２から取得して機器ログデータ２４を生成し、前記機器ログデータ２４を前記データセンタ４へ送信するように構成したことを特徴とする。
【手続補正９】
【補正対象書類名】明細書
【補正対象項目名】００３８
【補正方法】変更
【補正の内容】
【００３８】
１  受配電設備、  ２  リモートステーション、  ３  ゲートウェイ装置、  ４  データセンタ、  ５  受配電設備間インタフェース、  ６  下位データ管理部、  ７  リモートステーションインタフェース、  ８  下位通信処理部、  ９  インターネット、  １０  上位データ管理部、  １１  センサデータ、  １２  最新データ、  １３  前回データ、  １４  差分データ、  １５  蓄積データ、  １６  信号種別、  １７  センサＩＤ、  １８  センサ値、  １８ａ  前回センサ値、  １９  上位通信処理部、  ２０  前回計測タイミング、  ２１  データ取得タイミング、  ２２  取得時刻、  ２３  電子機器内部ログデータ、  ２４  機器ログデータ、  ２５  下位通信管理データ、  ２６  蓄積ログデータ、  ２７  ログ種別、  ３０  ログNo、  ３１  記録時刻、  ３２  ログ内容、  ３３  設備ＩＤ、  ３４  ユーザＩＤ、  ３５  ログ収集フラグ、  ３６  下位通信処理部。
【手続補正１０】
【補正対象書類名】図面
【補正対象項目名】図４
【補正方法】変更
【補正の内容】
【図４】
2019176582.tif 000001
【手続補正１１】
【補正対象書類名】図面
【補正対象項目名】図７
【補正方法】変更
【補正の内容】
【図７】
2019176582.tif 000002
【手続補正１２】
【補正対象書類名】図面
【補正対象項目名】図８
【補正方法】変更
【補正の内容】
【図８】
2019176582.tif 000003